(57)【要約】【課題】薬液容器と吸引型のポンプとが接続された薬液注入装置において、気泡が体内や吸引型ポンプに入ることを防ぎ、安全性や吸引ポンプの性能を確保することができる薬液注入装置を提供する。【解決手段】エアトラップフィルタ２、薬液容器７、及び吸引ポンプ６（内部構造を省略）より構成され、薬液容器内に予め混入している気泡、及び吸引ポンプの減圧作用により薬液溶存空気が気化して発生する気泡を、エアトラップフィルタにより除去することができる薬液注入装置１。【選択図】図１
2004275466.tif 000002
【特許請求の範囲】
【請求項１】
薬液を収納する薬液容器と、前記薬液容器から薬液を患者に送液するため当該薬液容器内に陰圧を発生させるためのポンプとからなり、前記薬液容器から前記ポンプへの前記薬液が送液される流路にエアトラップフィルタを配したことを特徴とする薬液注入装置。
【請求項２】
前記エアトラップフィルタが、液体が含浸すると気体が通過できなくなるものであることを特徴とする請求項１に記載の薬液注入装置。
【請求項３】
前記エアトラップフィルタが、送液方向と逆方向に向って延びる凸部を有し、さらに当該凸部の表面には送液方向と逆方向に向って開口する凹孔を有することを特徴とする請求項１乃至２に記載の薬液注入装置。
【請求項４】
前記エアトラップフィルタが、一端が閉塞され他端が開口した筒状体からなり、前記開口から前記ポンプへ連通していることを特徴とする請求項１乃至２に記載の薬液注入装置。
【請求項５】
前記エアトラップフィルタが、エアトラップフィルタＡとエアトラップフィルタＢとからなり、前記薬液はエアトラップフィルタＡからエアトラップフィルタＢへと送液されるものであって、それぞれのエアトラップフィルタの液体の流路抵抗が、エアトラップフィルタＡ  ＞  エアトラップフィルタＢ、となっていることを特徴とする請求項１乃至２に記載の薬液注入装置。
【請求項６】
前記薬液容器が、一端が前記エアトラップフィルタに接続された硬質の筒状体からなり、前記筒状体は、その内部を摺動可能なガスケットを有し、かつ前記一端と前記ガスケットとの間に前記薬液を収納するものであることを特徴とする請求項１乃至５に記載の薬液注入装置。
【請求項７】
前記薬液容器が、軟質の袋状のものであることを特徴とする請求項１乃至５に記載の薬液注入装置。
【請求項８】
前記薬液容器が、同形状に形成された硬質の外側容器と軟質の内側容器とからなる二重構造を有するものであることを特徴とする請求項１乃至５に記載の薬液注入装置。
【発明の詳細な説明】
【０００１】
【発明の属する技術分野】
本発明は、硬膜外、動静脈血管、皮下、筋肉、諸臓器などに薬液を注入するための薬液注入装置に関する。
【０００２】
【従来の技術】
インシュリンなどの少量の薬液を持続的に投与するため、薬液容器に送液ポンプが接続された薬液注入装置が検討されている。このような装置は、小型で携帯可能であることが重要であり、通常の輸液バッグなどから薬液を送液する医療用ポンプなどを使用することは望ましくないため、薬液容器と吸引型のポンプとが接続された薬液注入装置が検討されている（特願２００１−３８３７１８）。
【０００３】
しかしながら、このような装置で薬液容器内の気泡が体内に入らないような対策が必要であるが、小型であるため通常の輸液投与時に用いる気泡センサやポンプ下流に接続するチューブ付きエアベントフィルタを使用することは困難である。
【０００４】
さらに、ポンプが陰圧を発生させる吸引型のポンプである場合には、ポンプ上流側の薬液容器内は陰圧となり、薬液溶存空気が気泡化し易い状況となり、吸引ポンプに遠心ポンプや一部種類の振動型ポンプ等のように空気を送ることができないタイプのものを使用する場合、気泡により送液が不可能となる可能性もある。
【０００５】
【発明が解決しようとする課題】
本発明の目的は、薬液容器と吸引型のポンプとが接続された薬液注入装置において、気泡が体内に入ることを防ぎ、さらには薬液注入装置の性能を確保するため気泡が吸引型のポンプに入ることをも防ぐことができる薬液注入装置を提供することにある。
【０００６】
【課題を解決しようとする手段】
上記課題は、以下な本発明によって解決することができる。
【０００７】
（１）本発明は、薬液を収納する薬液容器と、前記薬液容器から薬液を患者に送液するため当該薬液容器内に陰圧を発生させるためのポンプとからなり、前記薬液容器から前記ポンプへの流路にエアトラップフィルタを配したことを特徴とする薬液注入装置置である。
【０００８】
（２）本発明は、前記エアトラップフィルタが、液体が含浸すると気体が通過できなくなるものであることを特徴とする上記（１）に記載の薬液注入装置である。
【０００９】
（３）本発明は、前記エアトラップフィルタが、送液方向と逆方向に向って延びる凸部を有し、さらに当該凸部の表面には送液方向と逆方向に向って開口する凹孔を有することを特徴とする上記（１）乃至（２）に記載の薬液注入装置である。
【００１０】
（４）本発明は、前記薬液容器が、一端が前記エアトラップフィルタに接続された硬質の筒状体からなり、前記筒状体は、その内部を摺動可能なガスケットを有し、かつ前記一端と前記ガスケットとの間に前記薬液を収納するものであることを特徴とする上記（１）乃至（３）に記載の薬液注入装置である。
【００１１】
（５）本発明は、前記薬液容器が、軟質の袋状のものであることを特徴とする上記（１）乃至（３）に記載の薬液注入装置である。
【００１２】
（６）本発明は、前記薬液容器が、同形状に形成された硬質の外側容器と軟質の内側容器とからなる二重構造を有するものであることを特徴とする上記（１）乃至（３）に記載の薬液注入装置である。
【００１３】
（７）本発明は、前記エアトラップフィルタが、一端が閉塞され他端が開口した筒状体からなり、前記開口から前記ポンプへ連通していることを特徴とする上記（１）乃至（２）に記載の薬液注入装置である。
【００１４】
（８）本発明は、前記エアトラップフィルタが、エアトラップフィルタＡとエアトラップフィルタＢとからなり、前記薬液はエアトラップフィルタＡからエアトラップフィルタＢへと送液されるものであって、それぞれのエアトラップフィルタの液体の流路抵抗が、エアトラップフィルタＡ  ＞  エアトラップフィルタＢ、となっていることを特徴とする上記（１）乃至（２）に記載の薬液注入装置である。
【００１５】
【発明の実施の形態】
以下、本発明の薬液注入装置について、添付図面に示すような好適な実施形態に基づいて詳細に説明する。
【００１６】
＜実施形態１＞
図１は，本発明の薬液注入装置の概略断面図である。薬液注入装置１は、エアトラップフィルタ２、薬液容器７、及び吸引ポンプ６（図１及び２においては、内部構造を省略する）より構成される。エアトラップフィルタ２はフィルタハウジング５に接着あるいは融着され、ポートコネクタ３とフィルタハウジング５を接着あるいは融着することにより、流路を形成する。ポートコネクタ３には通液針９が接着されており、薬液容器７にポートコネクタ３を係合させることにより、薬液容器７の排出部ゴム部材１０を貫通し、薬液１１が通液する。そして、薬液１１は、送液路１２を介して、体内に送られる。
【００１７】
なお、薬液注入装置１は、主として小型でインスリンなどの薬液を少量ずつ持続的に投与するものであり、具体的には薬液容器７の容量が０．５〜１０ｍｌ程度大きさのものである。これをバッテリーなど備えた本体（図示せず）に収納し、人体に携帯しながら、薬液投与を行うものである。
【００１８】
フィルタハウジング５の下流側には吸引ポンプ６が接続される。吸引ポンプ６を駆動することにより薬液容器７内が陰圧となり、ガスケット８と薬液容器７内面との摩擦抵抗より、ポンプの吸引力がさらに大きくなると、ガスケット８は図中右方向に摺動し、送液が開始される。
【００１９】
送液が開始されると、最初にプライミング操作が行われる。すなわち、送液路１２の末端が患者に接続されていない状態で、通液針９内部及び、ポートコネクタ３の流路４内の空気はエアトラップフィルタ２を通過し、下流に送られ、排出される。その後、薬液１１がエアトラップフィルタ２に接液すると、薬液１１はエアトラップフィルタ２を通過し、吸引ポンプ６を経て、送液路１２へ送られる。
その後、送液路１２の末端が患者に接続する。
【００２０】
送液中、薬液容器７内は吸引ポンプ６により減圧される。温度が一定であれば、薬液中にとけ込むことのできる気体の量（溶解度）は、その気体の分圧に比例するため、薬液１１の溶存空気が気化して気泡が発生し、薬液とともに通液針９を通じてポートコネクタ流路４に流れ込む。このとき、図２のように、気泡１３はエアトラップフィルタ２を通過することができないため、エアトラップフィルタ２表面にトラップされる。従って、気泡１３は吸引ポンプ６及び、その下流には流れることがない。
【００２１】
エアトラップフィルタ２は、得に限定しないが、アルミナ、シリカを原料としたセラミック多孔体であることが望ましく、その細孔径は０．１ｎｍ〜１００００ｎｍ程度に、用途に合わせて任意に制御可能である。本発明の目的であるエアトラップフィルタとして用いる場合には、その孔径は通過する薬液の種類や空気の通過抵抗を考慮して適宜設定されるが、通常０．１μｍ〜０．５μｍ程度であるのが好ましい。セラミック多孔体は、焼結生成されるため、金型の設計により任意の形状に作ることが可能であり、耐熱性、耐食性、耐圧性に優れるため、電子線あるいはオートクレーブ等により滅菌可能であるという利点がある。
【００２２】
また、エアトラップフィルタは、薬液中に混入した細菌やちりが体内にはいることを防ぐエアトラップフィルタとしても機能するものであっても良い。
【００２３】
ポンプ吸引による陰圧で発生する気泡は、上記エアトラップフィルタ表面にトラップされるが、気泡がフィルタ表面を覆い尽してしまうと、容器内の薬液を吸い出すことが不可能となる。従って、フィルタ表面積は、全体の形状に支障がない程度に大きくすることが好ましい。しかし、単にフィルタ表面積を大きくすると、ポートコネクタ流路４の体積も大きくなり、これがデッドスペースとなってしまう。そこで、図３（Ａ）のようにフィルタに、薬液容器に向って延びる凸部を設けた形状にすることにより、外径サイズを変更せずに、フィルタ表面積を大きくとることができ、さらに図３（Ｂ）のように凸部の表面に薬液容器に向って開口する凹孔を設けることで、フィルタ表面積をより大きくとることができる。
【００２４】
本発明に用いる吸引ポンプ６は、薬液を吸い出す方式のものであれば特に限定されないが、好適な態様例として、ダイアフラム式ポンプを挙げることができる。
ダイアフラム式ポンプの構成及び、作動原理を図４（Ａ）〜（Ｂ）に示す。図４に示すダイアフラム式ポンプ２００は、流路２０１とハウジング空間２０６との間に配置された振動板２０３と、流路２０１の振動板２０３両端部位置の上、下流に配置された一方向にだけ流体を流すことができるバルブ２０４、２０５とにより形成されたチャンバ２０２とから構成されている。流路２０１の上流側は薬液容器７側に、また下流側は送液路１２に接続されている。
【００２５】
振動板２０３は、通常、電圧または電流変化により振動する。例えば、振動板２０３に周期的な電圧または電流を印加すると、その周波数に同期して振動板２０３が振動し、その振動によりチャンバ２０２内に圧力変化が発生する。これにより上下流の各バルブ２０４，２０５が交互に開閉し、吸引ポンプ６の上流側に接続された薬液容器７内に陰圧が発生し、吸い出された薬液１１が送液路１２に流れる。上下流の各バルブ２０４、２０５は振動板２０３に同期して、自動的に開閉させてもよい。
【００２６】
以上、バルブ（開閉弁）を有する構造のダイアフラム式ポンプの態様例について示したが、上記図は作動原理を説明するためのものであり、各構成部材の形状は上記に限定されるものではない。ダイアフラム式ポンプの原理そのものは公知であり、本発明では、接続した薬液容器７内から薬液を吸い出す方式のものであれば、どのような構成、形状のものでも使用することができる。種々のダイアフラムのうちから、投与しようとする薬液に適した流量などに応じたタイプ及び性能のものを選択すればよい。
【００２７】
また、吸引ポンプ６の構造として、振動板タイプのものについて説明したが、本発明では薬液を吸い出す方式のものであれば、振動板を用いないタイプのものであってもよい。例えばローラーポンプ、シリンダーポンプ、軸流ポンプ、遠心ポンプなどを用いることができる。
【００２８】
なお、吸引ポンプ６は、エアトラップフィルタ２とあらかじめ一体化されていても、後から接続してもよい。しかし、薬液流路のデッドスペース（死腔）をできるだけ小さくするためには、予め一体化されている方が好ましい。
【００２９】
本発明に用いる薬液容器は、薬液容器に接続された吸引ポンプ６の作用により、容器内部に収容される薬液を排出することが可能であればよく、図１に示すような一端がエアトラップフィルタに接続され、その内部に摺動可能なガスケットを装着したた硬質の筒状体からなる容器、図５に示すような変形可能な軟質袋状薬液容器、あるいは図６に示すような変形可能な柔軟性材料からなる内容器と、内容器と同形状に形成された硬質性材料からなる外容器との二重構造を有する二層薬液容器が使用可能である。
【００３０】
図１に示す筒状の薬液容器７は、薬液等が予め充填されているガラス製や硬質プラスチック製のシリンジのような形状をしたカートリッジタイプの容器が挙げられる。カートリッジ先端に吸引ポンプ６を接続し、ポンプによる吸引を行ったときに、ポンプによる陰圧でガラスカートリッジのガスケットが摺動可能なものであればよい。
【００３１】
図５に示す変形可能な軟質袋状の薬液容器３００は、硬質ポート部材３０１の一端部が軟質容器３０２の内部空間に挿入されることにより形成されている。軟質容器３０２は、吸引ポンプ６の作用により薬液が吸い出されると、容器内の容量の減少分に追従して変形しうる柔軟性（軟質）材料からなり、ガスバリア性、水蒸気バリア性を有し、更に耐薬品性の材料が選択される。具体的材料としては、例えば、ポリプロピレン、ポリエチレンなどのオレフィン系ポリマー、ポリ塩化ビニルなどの高分子材料を用いることができる。また、これらにスチレン系エラストマー、オレフィン系エラストマーなどのエラストマー系ポリマーを適宜添加して弾性及び、柔軟性を向上させることもできる。上記柔軟性材料は、通常、透明または半透明であり、厚みはその効果を損なわない範囲であれば特に規定されないが、通常５０μｍ〜３００μｍ程度である。
【００３２】
図６に示す薬液容器４００は、変形可能な柔軟性材料からなる内容器４０１と、内容器と同形状に形成された硬質性材料からなる外容器４０２との二重構造を有するものであり、内容器４０１は、吸引ポンプ６の作用により薬液が吸い出されると、容器内の容量の減少分に追従して外容器の内面から剥離するように変形するものであり、外容器４０２は、外容器内外を連通するエアベント（図示せず、通常の孔でよい）を有し、それ自体で全体形状を保持するものである。内容器の材料は、上述した図５の容器と同様な材料を用いることができる。また、外層においてもガスバリア性、水蒸気バリア性、及び耐薬品性を有する材料が選択され、具体的にはポリエチレンテレフタレート（ＰＥＴ）、ポリエチレンナフタレート（ＰＥＮ）、ポリアクリロニトリル（ＰＡＮ）、硬質のオレフィン系ポリマー、ポリカーボネート、アクリル樹脂などの高分子材料を挙げることができ、これら２種類以上を組み合わせて混合、あるいは積層したものであってもよい。内容器と外容器は共に、透明または半透明なものが好ましく、厚みはその効果を損なわない範囲であれば特に規定されないが、通常内容器４０１は１０μｍ〜５００μｍ程度、外容器４０２は０．１ｍｍ〜２ｍｍ程度である。
【００３３】
薬液容器７内に充填される薬液１１は特に限定されないが、膵臓ホルモン、性腺刺激ホルモン、性腺刺激ホルモン放出ホルモン等のホルモン剤、例えば、インスリン、インスリン様活性を持つインスリアナログや、その他ホルモン剤以外として、疼痛緩和目的でのモルヒネなどの麻薬、抗癌剤、抗生物質、ヘパリンなどを挙げることができる。
【００３４】
＜実施形態２＞
図７は、本発明の薬液注入装置５０１の概略断面図である。薬液注入装置５０１は、エアトラップフィルタ５０２、ハウジング５０５（上記薬液注入装置１におけるポートコネクタ３とフィルタハウジング５を兼ねている）、吸引ポンプ５０７（内部構造を省略する）、及び軟質容器５０８より構成される。エアトラップフィル５０２は内腔５０３を有する筒状のもので、一端は閉塞し、他端は開口し、吸引ポンプ５０７の内部に連通する。
【００３５】
ハウジング５０５には、その内部にエアトラップフィルタ５０２との間に、エアトラップフィルタ５０２の内腔５０３と平行して長尺空間５０４が設置されている。さらに、その上流側に、長尺空間５０４と軟質容器５０８内とを連通し、薬液を軟質容器の外へ排出する排出孔５０６が設けられ、最終的に薬液は送液路５０９を介して、体内に送られる。
【００３６】
薬液注入装置５０１は、吸引ポンプ５０７を駆動することにより軟質容器５０８内が陰圧となり、軟質容器内の薬液は排出孔５０６を通過して長尺空間５０４に流れ込む。すると、内腔５０３にもエアトラップフィルタ５０２を通過して薬液が流れ込むが、エアトラップフィルタは流路抵抗が気体より液体のほうが大きいため、長尺空間５０４の気体が抜け薬液で満たれたのち、内腔５０３が薬液で満たされる。
【００３７】
ハウジング５０５の一端には、長尺空間５０４とは隔離された空間を有し、かつ開口部が薬液注入用セプタム５１０で覆われたポート部５１１と、前記空間と軟質容器５０８内とを連通する連通孔５１２が設けらており、必要に応じて薬液を軟質容器内に充填することができる。
【００３８】
＜実施形態３＞
図８は、本発明の薬液注入装置６０１の概略断面図である。薬液注入装置６０１は、エアトラップフィルタＡ６０２、エアトラップフィルタＢ６０３、吸引ポンプ６０７（内部構造を省略する）、及び薬液の吸引と共に移動するガスケット６１４を含む薬液容器６０８より構成される。
【００３９】
エアトラップフィルタＡ６０２は、エアトラップフィルタＢ６０３より上流にあり、その中心部にエアトラップフィルタＢの先端部６０４（フィルタ機能を有さない）が刺さるように挿入され、ハウジング６０６（上記薬液注入装置１におけるポートコネクタ３とフィルタハウジング５を兼ねている）内に収納されている。エアトラップフィルタＢ６０３は内腔６０５を有する筒状のもので、一端にフィルタ機能を有さない先端部６０４が設けられ、他端は吸引ポンプ６０７の内部に連通する。
【００４０】
エアトラップフィルタＢ６０３の内腔６０５は、エアトラップフィルタＡ６０２、エアトラップフィルタＢ６０３、及びハウジング６０６により形成される長尺空間６１２と平行して設置される。エアトラップフィルタＡ６０２及びエアトラップフィルタＢ６０３は、液体が含浸すると気体が通過できなくなるものであり、液体の流路抵抗は、エアトラップフィルタＡ  ＞  エアトラップフィルタＢ、となっている。
【００４１】
ハウジング６０６には、基端がフィルタ方向に開口した通液針６０９が接着されており、薬液容器６０８の排出部ゴム部材６１０を貫通し、薬液が通液する。そして、薬液は、最終的に送液路６１１を介して、体内に送られる。
【００４２】
薬液注入装置６０１は、吸引ポンプ６０７を駆動することにより薬液容器６０８内が陰圧となり、薬液６１３はエアトラップフィルタＡ６０２を通過して長尺空間６１２に流れ込む。すると、内腔６０５にもエアトラップフィルタＢ６０３を通過して薬液６１３が流れ込むが、長尺空間６１２と内腔６０５が平行に設置されているため、内腔６０５の上流側から流れ込む（図９）。さらに、各エアトラップフィルタは流路抵抗が気体より液体のほうが大きいため、長尺空間６１２の気体が抜け薬液で満たれたのち、内腔６０５が薬液で満たされる。つまり、薬液の流路内の気体を効率良く除くことができる。
【００４３】
吸引ポンプ６０７の陰圧により、薬液を吸引している状態では、長尺空間６１２は、エアトラップフィルタＡの流路抵抗のため薬剤容器６０８より陰圧になり、これによって薬液中の溶存空気は気化し気泡となるが、エアトラップフィルタＡ及びエアトラップフィルタＢでトラップされ、吸引ポンプ及びその下流に流れることはない。
【００４４】
さらに、液体の流路抵抗は、エアトラップフィルタＡ６０２  ＞  エアトラップフィルタＢ６０３、となっているため、内腔６０５内の圧力は、長尺空間６１２と比較して、一旦脱気された長尺空間６１２内の薬液からさらに大きな気泡を生じるほどの減圧を生じなくすることができ、効果的に下流に気泡が流れないようにすることができる。また、エアトラップフィルタは、薬液中に混入した細菌やちりが体内にはいることを防ぐエアトラップフィルタとしても機能するものであっても良い。
【００４５】
＜実施形態４＞
図１０は、本発明の薬液注入装置７０１の概略断面の部分拡大図である。本実施形態は、上述した実施形態２を改良したものであり、実施形態２と構成が異なるハウジング７０８と吸引ポンプ７０９との接合部分の部分拡大図で説明する。ここに示す構成以外の部分は基本的に実施形態２における薬液注入装置５０１と同一のものである。
【００４６】
薬液注入装置７０１は、ハウジング７０８内に親水性エアトラップフィルタ７０２と疎水性フィルタ７０５が長尺空間７０４を挟んで接着層７０７で固定された状態で設けられている。また疎水性フィルタ７０５の外面にはゴムなどからなる弾性管体７０６が配置されており、通常ハウジング内が陰圧の場合に外部の気体が疎水性フィルタ７０５を通して内部に入らない構造になっている。さらに弾性管体７０６の周囲にはハウジング７０８との間に空間７１０が広がり、ハウジング７０８に設けられた排気孔７１１に連通している。
【００４７】
薬液注入装置７０１は、吸引ポンプを駆動することにより薬液容器が陰圧となり、薬液は長尺空間７０４に流れ込み、親水性エアトラップフィルタ７０２を通って内腔７０３に流れ込む。この状態で時間が経過すると長尺空間７０４が親水性エアトラップフィルタ７０２でトラップされた気泡で満たされ、薬液の送液が困難となる。
【００４８】
しかし、このとき、薬液容器内を加圧（容器形態が実施形態１の薬液注入装置１のような場合はガスケット８を押す、その他の軟質容器の場合は容器全体を潰す、握るなどの方法により）すると、気泡が気体となって疎水性フィルタ７０５から、その圧力により、弾性管体７０６と、疎水性フィルタ７０５及びハウジング７０８（ハウジングの通常は疎水性フィルタ７０５とともに弾性管体７０６で覆われている部分）との間に隙間が生じさせながら、空間７１０を通り排気孔から外部へ排出される（気体の経路を→に示す）。
【００４９】
なお、長尺空間７０４が気泡で満たされたか否かは、ハウジング７０８などを透明な材料で構成し目視で確認する方法や、センサなどにより薬液の圧力や流速を測定しアラームなどで知らせる手段を設けることで確認できる。
【００５０】
【発明の効果】
以上説明したように、本発明の薬液注入装置によれば、予め容器内に混入している気泡や、吸引ポンプによる陰圧により容器内の溶存空気が気化して発生する気泡を下流に流すことなく、エアトラップフィルタにてトラップすることが可能となる。また、エアトラップフィルタは金型の設計により、大きさ、形状も自由に変えることができるため、流路に組み込みやすく、装置全体として携帯性に優れ小型軽量で、かつ低価格な薬液注入装置を提供することができる。
【図面の簡単な説明】
【図１】本発明の薬液注入装置１の概要断面図である。
【図２】図１の部分拡大図である。
【図３】薬液注入装置１に組み込まれるエアトラップフィルタの斜視図である。
【図４】薬液注入装置１に使用されるダイアフラムポンプの構造および、作動原理の概略を示す断面図である。
【図５】本発明の薬液注入装置に使用される軟質の薬液容器の斜視図である。
【図６】本発明の薬液注入装置に使用される二層構造の容器の斜視図である。
【図７】本発明の薬液注入装置５０１の概要断面図である。
【図８】本発明の薬液注入装置６０１の概要断面図である。
【図９】本発明の薬液注入装置６０１の使用状態を示す部分断面図である。
【図１０】本発明の薬液注入装置７０１の概要の部分断面図である。
【符号の説明】
１      薬液注入装置
２      エアトラップフィルタ
３      ポートコネクタ
４    ポートコネクタ流路
５      フィルタハウジング
６      吸引ポンプ
７      薬液容器
８      ガスケット
９      通液針
１０    排出部ゴム部材
１１    薬液
１２    送液路
１３      気泡
２００  ダイアフラム式ポンプ
２０１  流路
２０２  チャンバ
２０３  振動板
２０４  流入バルブ
２０５  流出バルブ
２０６  ハウジング空間
３００  軟質袋状薬液容器
３０１  硬質ポート部材
３０２  軟質容器部
４００  二層薬液容器
４０１  内容器
４０２  外容器
５０１  薬液注入装置
５０２  エアトラップフィルタ
５０３  内腔
５０４  長尺空間
５０５  ハウジング
５０６  排出孔
５０７  吸引ポンプ
５０８  軟質容器
５０９  送液路
５１０  薬液注入用セプタム
５１１  ポート部
５１２  連通孔
６０１  薬液注入装置
６０２  エアトラップフィルタＡ
６０３  エアトラップフィルタＢ
６０４  エアトラップフィルタＢの先端部
６０５  内腔
６０６  ハウジング
６０７  吸引ポンプ
６０８  薬液容器
６０９  通液針
６１０  排出部ゴム部材
６１１  送液路
６１２  長尺空間
６１３  薬液
６１４  ガスケット
７０１  薬液注入装置
７０２  親水性エアトラップフィルタ
７０３  内腔
７０４  長尺空間
７０５  疎水性フィルタ
７０６  弾性管体
７０７  接着層
７０８  ハウジング
７０９  吸引ポンプ
７１０  空間
７１１  排気孔
【図１】
2004275466.tif 000003
【図２】
2004275466.tif 000004
【図３】
2004275466.tif 000005
【図４】
2004275466.tif 000006
【図５】
2004275466.tif 000007
【図６】
2004275466.tif 000008
【図７】
2004275466.tif 000009
【図８】
2004275466.tif 000010
【図９】
2004275466.tif 000011
【図１０】
2004275466.tif 000012